(57)【要約】【課題】磁気テープを巻き取った状態においても磁気テープの端部とフランジとの間のクリアランスを十分に確保し得るテープリールを提供する。【解決手段】円板状の下フランジ２２が下端部に一体形成されて上端部側に開口部が形成された有底円筒状のハブ２１と、中心孔３１ａの口縁部に突出形成された環状の突起部３２をハブ２１の開口部に嵌め込んで固定される円板状の上フランジ３１とを備えて構成され、ハブ２１は、内周面の上下方向に沿ってそれぞれ形成された複数の補強用リブ２１ｂ，２１ｂ・・を備えて構成されている。【選択図】図２
2005182948.tif 000002
【特許請求の範囲】
【請求項１】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記ハブは、内周面の上下方向に沿ってそれぞれ形成された複数の補強用リブを備えて構成されているテープリール。
【請求項２】
前記ハブは、前記補強用リブに固定された円板状の補強部材を備えている請求項１記載のテープリール。
【請求項３】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記ハブには、円筒状の補強部材が当該ハブの前記内周面にその外周面を接するようにして嵌め込まれているテープリール。
【請求項４】
前記円筒状の補強部材は、内周面に形成された環状の補強板を備えて構成されている請求項３記載のテープリール。
【請求項５】
前記円筒状の補強部材は、金属で形成されている請求項３または４記載のテープリール。
【請求項６】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記上フランジは、前記突起部に形成された環状鍔部を備えて構成されているテープリール。
【請求項７】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記上フランジは、前記突起部に形成された円筒状の補強部材を備え、
当該補強部材は、外周面の上下方向に沿ってそれぞれ形成された複数のリブを備えて構成されているテープリール。
【請求項８】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記上フランジは、前記中心孔の前記口縁部が当該口縁部を除く他の部分よりも厚肉に形成されて構成されているテープリール。
【請求項９】
前記上フランジは、前記口縁部の上面に前記中心孔を取り囲むようにして平面視環状の溝が形成されると共に当該溝内に形成された複数のリブを備えて構成されている請求項８記載のテープリール。
【請求項１０】
前記上フランジは、前記突起部の下面に前記中心孔を取り囲むようにして平面視環状の溝が形成されると共に当該溝内に形成された複数のリブを備えて構成されている請求項８記載のテープリール。
【請求項１１】
請求項１から１０のいずれかに記載のテープリールを備えている情報記録媒体。
【発明の詳細な説明】
【技術分野】
【０００１】
本発明は、情報記録用の磁気テープを巻回するテープリールおよびそのテープリールを備えた情報記録媒体に関するものである。
【背景技術】
【０００２】
大容量のデータを記録可能な情報記録媒体として、出願人は、特開２００２−１００１４８号公報において、ＬＴＯ(Linear Tape Open)規格に準拠した１リールタイプのテープカートリッジを開示している。なお、本明細書では、以下、同公報中の符号については括弧付きで記載する。このテープカートリッジは、互いに嵌合可能な上ケース（１）および下ケース（２）を有する本体ケース、および本体ケースの内部に回転可能に収納されてテープ（Ｔ）を巻回する単一のテープリール（３）などを備えて構成されている。この場合、テープリール（３）は、上フランジ（３１）と、その下端部に下フランジ（３３）が一体形成された有底円筒状のハブ（３２）とを備えて構成されている。
【特許文献１】特開２００２−１００１４８号公報（第３頁、第１図）
【発明の開示】
【発明が解決しようとする課題】
【０００３】
ところが、出願人が開示しているテープカートリッジには、以下の解決すべき課題がある。すなわち、このテープカートリッジにおけるテープリール（３）は、樹脂を射出成形することによって製造されている。この場合、巻回時におけるテープ（Ｔ）の傷付きや伸びの発生を防止するためには、ハブ（３２）の外周面を滑らかに形成するのが好ましい。したがって、射出成形時における「ひけ」によってハブ（３２）の外周面に凹凸が発生するのを防止するために、このテープリール（３）のハブ（３２）は比較的肉薄に形成されている。一方、テープリール（３）にテープ（Ｔ）を巻回する際には、緩みによるしわの発生を防止するために、テープ（Ｔ）に一定のテンションが加えられている。このため、テープ（Ｔ）を巻き取った状態では、テープ（Ｔ）の巻き締まりによってハブ（３２）に大きな圧力が加わっている。この結果、図１８に示すように、肉薄に形成されたハブ（３２）が圧力によってやや変形させられて、その変形に伴って上フランジ（３１）の先端部が下向きに傾くことがある。したがって、このテープカートリッジには、テープリール（３）における上フランジ（３１）の先端部が傾くことに起因して、テープ（Ｔ）の端部と上フランジ（３１）との接触を回避するのに十分な両者間のクリアランスを確保するのが困難となるおそれがあるという解決すべき課題が存在する。
【０００４】
本発明は、かかる解決すべき課題に鑑みてなされたものであり、磁気テープを巻き取った状態においても磁気テープの端部とフランジとの間のクリアランスを十分に確保し得るテープリールおよび情報記録媒体を提供することを主目的とする。
【課題を解決するための手段】
【０００５】
上記目的を達成すべく本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記ハブは、内周面の上下方向に沿ってそれぞれ形成された複数の補強用リブを備えて構成されている。
【０００６】
この場合、前記ハブが前記補強用リブに固定された円板状の補強部材を備えているのが好ましい。
【０００７】
また、本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記ハブには、円筒状の補強部材が当該ハブの前記内周面にその外周面を接するようにして嵌め込まれている。
【０００８】
この場合、内周面に形成された環状の補強板を備えて前記円筒状の補強部材を構成するのが好ましい。
【０００９】
また、前記円筒状の補強部材を金属で形成するのが好ましい。
【００１０】
また、本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記上フランジは、前記突起部に形成された環状鍔部を備えて構成されている。
【００１１】
また、本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記上フランジは、前記突起部に形成された円筒状の補強部材を備え、当該補強部材は、外周面の上下方向に沿ってそれぞれ形成された複数のリブを備えて構成されている。
【００１２】
また、本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記上フランジは、前記中心孔の前記口縁部が当該口縁部を除く他の部分よりも厚肉に形成されて構成されている。
【００１３】
この場合、前記口縁部の上面に前記中心孔を取り囲むようにして平面視環状の溝を形成すると共に当該溝内に形成された複数のリブを備えて前記上フランジを構成するのが好ましい。
【００１４】
また、前記突起部の下面に前記中心孔を取り囲むようにして平面視環状の溝を形成すると共に当該溝内に形成された複数のリブを備えて前記上フランジを構成するのが好ましい。
【００１５】
また、本発明に係る情報記録媒体は、上記のテープリールを備えて構成されている。
【発明の効果】
【００１６】
本発明に係るテープリールおよび情報記録媒体によれば、ハブの内周面に複数の補強用リブを上下方向に沿って形成したことにより、ハブに十分な剛性を持たせることができるため、磁気テープの巻き締まりによってハブに大きな圧力が加えられたとしても、ハブを非変形状態または僅かに変形した状態に維持することができる。したがって、ハブの変形に伴う上フランジの磁気テープ側への傾きを防止することができるため、磁気テープを巻き取った状態においても磁気テープの端部とテープリールの上フランジとの間のクリアランスを十分に確保することができる。
【００１７】
また、本発明に係るテープリールおよび情報記録媒体によれば、ハブの補強用リブに円板状の補強部材を固定したことにより、円板状の補強部材によってハブをその内側から確実に支えることができるため、磁気テープの巻き締まりによるハブの変形を確実に防止することができる。
【００１８】
また、本発明に係るテープリールおよび情報記録媒体によれば、ハブの内周面にその外周面を接するようにして円筒状の補強部材をハブに嵌め込んだことにより、円筒状の補強部材によってハブをその内側から確実に支えることができるため、磁気テープの巻き締まりによるハブの変形を確実に防止することができる。
【００１９】
さらに、本発明に係るテープリールおよび情報記録媒体によれば、円筒状の補強部材の内周面に環状の補強板を形成したことにより、補強部材の剛性を高めることができるため、ハブをその内側からより確実に支えることができる。
【００２０】
また、本発明に係るテープリールおよび情報記録媒体によれば、円筒状の補強部材を金属で形成したことにより、その剛性を維持しつつ補強部材を薄肉に構成することができる。
【００２１】
また、本発明に係るテープリールおよび情報記録媒体によれば、上フランジにおける突起部に環状鍔部を形成したことにより、たとえハブが僅かに変形したとしても、環状鍔部によって突起部をその内側から確実に支えることができるため、ハブの変形に伴う上フランジの磁気テープ側への傾きを確実に防止することができる結果、上フランジの先端部と磁気テープとの間の十分なクリアランスを確実に確保することができる。
【００２２】
さらに、本発明に係るテープリールおよび情報記録媒体によれば、複数のリブが上下方向に沿って外周面の上下方向に沿ってそれぞれ形成された円筒状の補強部材を上フランジにおける突起部に形成したことにより、たとえハブが僅かに変形したとしても、補強部材によって突起部をより確実に支えることができるため、ハブの変形に伴う上フランジの磁気テープ側への傾きをより確実に防止することができる。
【００２３】
また、本発明に係るテープリールおよび情報記録媒体によれば、上フランジにおける中心孔の口縁部を他の部分よりも厚肉に形成したことにより、上フランジにおける口縁部に十分な剛性を持たせることができるため、たとえハブが僅かに変形したとしても、ハブの変形に伴う上フランジの磁気テープ側への傾きを確実に防止することができる。
【００２４】
また、本発明に係るテープリールおよび情報記録媒体によれば、上フランジの中心孔における口縁部の上面に中心孔を取り囲むようにして平面視環状の溝を形成すると共にその溝内に複数のリブを形成したことにより、口縁部の剛性を確保しつつ、上フランジの軽量化、および口縁部におけるひけの発生防止を図ることができる。
【００２５】
また、本発明に係るテープリールおよび情報記録媒体によれば、上フランジにおける突起部の下面に中心孔を取り囲むようにして平面視環状の溝を形成すると共にその溝内に複数のリブを形成したことにより、口縁部の剛性を確保しつつ、上フランジの軽量化、および突起部におけるひけの発生防止を図ることができる。
【発明を実施するための最良の形態】
【００２６】
以下、本発明に係るテープリールおよび情報記録媒体の最良の形態について、添付図面を参照して説明する。
【００２７】
最初に、情報記録媒体１の構成について、図面を参照して説明する。
【００２８】
図１に示す情報記録媒体１は、例えば、電子計算機に記録された記録データをバックアップするためのストレージデバイスとして使用されるＬＴＯ規格に準拠した１リールタイプのカートリッジ式の情報記録媒体であって、同図に示すように、ケース本体２、テープリール３、ブレーキ解除板４、ロック部材５、ブレーキスプリング６およびドア部材７を備えて構成されている。なお、実際には、この情報記録媒体１では、テープリール３に磁気テープＴ（図４参照）が巻回されているが、同図では、各部の構成についての理解を容易とするために、その図示を省略する。
【００２９】
ケース本体２は、同図に示すように、それぞれ浅皿状に形成されて互いに嵌合可能な下ケース１１および上ケース１２を備えて構成され、両ケース１１，１２の嵌合状態において形成される内部空間にテープリール３を回転可能に収容する。この場合、下ケース１１および上ケース１２には、テープリール３に巻回された磁気テープＴ（図４参照）を外部に引き出すためのテープ引き出し口２ａを構成する切り欠き１１ａ，１２ａがそれぞれ形成されている。
【００３０】
テープリール３は、図１，２に示すように、ハブ２１、下フランジ２２および上フランジ３１を備えて構成されている。ハブ２１は、上端部側に開口部が形成された有底円筒状に形成されて、その周囲に磁気テープＴを巻回可能に構成されている。また、図１，３に示すように、ハブ２１における胴部２１ａの内周面には、複数の補強用リブ２１ｂ，２１ｂ・・が上下方向（上端部から下端部に向かう方向）に沿って等間隔で一体形成されている。また、図２，３に示すように、ハブ２１の底板２１ｃにおける内面（上面）には、ブレーキスプリング６よって付勢されたロック部材５（いずれも図１参照）に噛合可能な平面視円弧状の歯部２１ｄ，２１ｄ，２１ｄが形成されている。さらに、ハブ２１の底板２１ｃには、ブレーキ解除板４を上下動可能に取り付けるための挿通用孔２１ｅ，２１ｅ，２１ｅが形成されている。また、図２に示すように、ハブ２１の底板２１ｃにおける外面（下面）には、図外の記録再生装置の駆動用シャフトがテープリール３を吸引するための金属板２３（図１も参照）が取り付けられている。また、底板２１ｃにおける外面には、記録再生装置の駆動用シャフトの歯部に噛合可能な環状の歯部２１ｆが金属板２３を取り囲むようにして形成されている。下フランジ２２は、図３に示すように、円板状に構成されてハブ２１の下端部に一体成形されている。
【００３１】
上フランジ３１は、図２，４に示すように、円板状に構成されると共に、円形の中心孔３１ａがその中心部に形成されている。また、上フランジ３１における中心孔３１ａの口縁部には、環状の突起部３２が下方に向けて突出形成されている。さらに、突起部３２の下端部には、ロック部材５およびブレーキ解除板４の挿通を可能とする中心孔３３ａがその中心部に形成された円板状（環状）の環状鍔部３３が上フランジ３１とほぼ平行となるようにして一体形成されている。この場合、図２に示すように、ハブ２１と上フランジ３１とは、胴部２１ａにおける上端部の開口部に突起部３２を嵌め込んだ状態で例えば超音波溶着で互いに固定されている。
【００３２】
ブレーキ解除板４は、図１に示すように、その裏面に、ハブ２１の挿通用孔２１ｅに挿通可能な３本の脚部４ａ，４ａ，４ａが立設されて構成されている。この場合、ブレーキ解除板４は、脚部４ａ，４ａ，４ａがハブ２１の挿通用孔２１ｅ，２１ｅ，２１ｅにそれぞれ挿通されることによって回転不能でかつ上下動可能にハブ２１の底板２１ｃ側に取り付けられる。ロック部材５は、同図に示すように、ハブ２１の歯部２１ｄ，２１ｄ，２１ｄに噛合可能な歯部５ａがその底面に形成されている。この場合、ロック部材５は、ブレーキスプリング６によって付勢されて歯部５ａがハブ２１の歯部２１ｄ，２１ｄ，２１ｄに噛合させられることによってテープリール３の回転を制止する。ブレーキスプリング６は、コイルスプリングで構成されて、上ケース１２とロック部材５との間に配設され、テープリール３におけるハブ２１の底板２１ｃ側に向けてロック部材５を付勢する。ドア部材７は、同図に示すように、テープ引き出し口２ａを閉塞可能な薄板状に形成されて、下ケース１１の側壁および上ケース１２の側壁にそれぞれ形成された案内溝にスライド可能に収納される。
【００３３】
次に、記録再生時における情報記録媒体１の動作について、図面を参照して説明する。
【００３４】
この情報記録媒体１を図外の記録再生装置に装填した際には、記録再生装置が、ドア部材７をスライドさせてテープ引出し口２ａを開口して、磁気テープＴを引き出す。次に、記録再生装置側のテープリールが磁気テープＴを巻回しつつ、記録再生装置の記録再生部が磁気テープＴに対する記録データの記録や磁気テープＴからの記録データの読み出しを実行する。次いで、記録データの記録や読み出しを終了した際には、記録再生装置は、テープリール３を回転させることによって磁気テープＴの巻回（情報記録媒体１への磁気テープＴの巻き戻し）を開始する。この場合、記録再生装置は、緩みを防止するために、例えば、記録再生装置側のテープリールの回転を制御することによって磁気テープＴに一定のテンションを加える。これにより、磁気テープＴがテープリール３に巻回される。この際に、磁気テープＴにテンションが加えられているため、磁気テープＴの巻き締まりによってハブ２１の胴部２１ａにはその中心方向に向けてある程度大きな圧力が加えられる。一方、ハブ２１は、胴部２１ａの内周面に補強用リブ２１ｂ，２１ｂ・・が形成されているため、十分な剛性を有している。したがって、ハブ２１は、磁気テープＴの巻き締まりによって胴部２１ａに大きな圧力が加えられたとしても、図４に示すように、その圧力に抗して非変形状態を維持する。また、たとえ変形したとしても、僅かな変形に抑えられた状態を維持する。さらに、環状鍔部３３が一体形成されているため、上フランジ３１も十分な剛性を有している。したがって、たとえハブ２１が僅かに変形したとしても、ハブ２１の変形に伴う上フランジ３１における先端部の下側向き（磁気テープＴの端面側）への傾きが回避される。したがって、上フランジ３１の先端部と磁気テープＴとの間の十分なクリアランスが確保される。
【００３５】
このように、このテープリール３および情報記録媒体１によれば、ハブ２１における胴部２１ａの内周面に複数の補強用リブ２１ｂ，２１ｂ・・を上下方向に沿って形成したことにより、ハブ２１に十分な剛性を持たせることができたため、磁気テープＴの巻き締まりによって胴部２１ａに大きな圧力が加えられたとしても、ハブ２１を非変形状態または僅かな変形状態に維持することができる。したがって、ハブ２１の変形に伴う上フランジ３１の磁気テープＴ側への傾きを防止することができるため、磁気テープを巻き取った状態においても磁気テープＴの先端部と上フランジ３１との間の十分なクリアランスを確保することができる。
【００３６】
また、上フランジ３１における突起部３２の下端部に環状鍔部３３を形成したことにより、たとえハブ２１が僅かに変形したとしても、環状鍔部３３によって突起部３２をその内側から確実に支えることができるため、ハブ２１の変形に伴う上フランジ３１の磁気テープＴ側への傾きを確実に防止することができる結果、上フランジ３１の先端部と磁気テープＴとの間の十分なクリアランスを確実に確保することができる。
【００３７】
次に、図５に示すテープリール１０１について説明する。なお、テープリール１０１や後述するテープリール１０２〜１０４では、テープリール３と同様にして、基本的に本発明が適用されている。したがって、テープリール３と同じ構成要素については同一の符号を付して重複する説明を省略する。このテープリール１０１は、同図に示すように、ハブ１２１、下フランジ２２、上フランジ３１および補強部材１２２，１２３を備えて構成されている。ハブ１２１は、有底円筒状に形成されて、その胴部１２１ａの外周に磁気テープＴを巻回可能に構成されている。また、胴部１２１ａの内周面には、複数の補強用リブ１２１ｂ，１２１ｂ・・が上下方向に沿って等間隔で一体形成されている。この場合、同図に示すように、補強用リブ１２１ｂには、段部１２４が形成されている。補強部材１２２は、中心孔を有する円板状に形成されて、補強用リブ１２１ｂ，１２１ｂ・・の各段部１２４にその下面を当接させ、かつ補強用リブ１２１ｂ，１２１ｂ・・の側面にその外周面を当接させるようにしてハブ１２１の胴部１２１ａに嵌め込まれて固定されている。この場合、補強部材１２２を補強用リブ１２１ｂに溶着して固定する構成を採用することもできる。補強部材１２３は、中心孔を有する円板状に形成されて、補強用リブ１２１ｂ，１２１ｂ・・の上端面にその下面を当接させ、かつ胴部１２１ａの内周面にその外周面を当接させるようにして胴部１２１ａ内に嵌め込まれている。このテープリール１０１によれば、ハブ１２１における胴部１２１ａの内周面に複数の補強用リブ１２１ｂを上下方向に沿って一体形成すると共に、補強部材１２２，１２３を胴部１２１ａ内に嵌め込んで固定したことにより、胴部２１ａを内側から支えることができるため、磁気テープＴの巻き締まりによる胴部２１ａの変形を確実に防止することができる。
【００３８】
次に、図６に示すテープリール１０２について説明する。このテープリール１０２は、同図および図７に示すように、ハブ１３１、下フランジ２２、上フランジ３１および補強部材１４１を備えて構成されている。ハブ１３１は、有底円筒状に形成されて、その胴部１３１ａの外周に磁気テープＴを巻回可能に構成されている。この場合、ハブ１３１では、上記したテープリール３におけるハブ２１とは異なり、胴部１３１ａに補強用リブが形成されていない構成が採用されている。補強部材１４１は、円筒状の本体部１４２と、本体部１４２の内周面に形成された中心孔を有する円板状（環状）の補強板１４３，１４４とで構成されている。この場合、補強部材１４１は、ハブ１３１における胴部１３１ａの内周面に本体部１４２の外周面が接するようにして胴部１３１ａ内に嵌め込まれている。このテープリール１０２においても、ハブ１３１の胴部１３１ａ内に補強部材１４１を嵌め込んだことにより、胴部１３１ａを補強部材１４１で内側から支えることができるため、磁気テープＴの巻き締まりによる胴部１３１ａの変形を確実に防止することができる。また、補強板１４３，１４４を本体部１４２の内周面に一体形成したことにより、補強部材１４１の剛性を高めることができるため、胴部１３１ａを確実に支えることができる。なお、図８に示すように、補強部材１４１に代えて、補強板が形成されていない円筒状の補強部材１５１を備えたテープリール１０３を採用することもでき、この構成においても、磁気テープＴの巻き締まりによる胴部１３１ａの変形を確実に防止することができる。この場合、補強部材１５１を例えば金属で形成することで、剛性を維持しつつ補強部材１５１を薄肉に構成することができる。
【００３９】
次に、図９に示すテープリール１０４について説明する。テープリール１０４は、同図および図１１に示すように、上記したハブ１３１、下フランジ２２および上フランジ１６１を備えて構成されている。上フランジ１６１は、図９に示すように、円板状に構成されると共に、円形の中心孔１６１ａがその中心部に形成されている。また、同図および図１１に示すように、上フランジ１６１における中心孔１６１ａの口縁部には、環状の補強用突起部１６２が下方に向けて突出形成されている。さらに、補強用突起部１６２の下端部には、補強部材１６３が形成されている。補強部材１６３は、図１０，１１に示すように、円筒状の本体部１６３ａと、本体部１６３ａの外周面に上下方向（本体部１６３ａの基端部から先端部に向かう方向）に沿って等間隔で一体形成された複数のリブ１６３ｂ，１６３ｂ・・とを備えて構成されている。この場合、リブ１６３ｂは、ハブ１３１に上フランジ１６１が嵌め込まれた状態において、外周側の側面がハブ１３１における胴部１３１ａの内周面に当接するようにその幅（突出長）が規定されている。このテープリール１０４によれば、複数のリブ１６３ｂ，１６３ｂ・・を有する補強部材１６３を上フランジ１６１における補強用突起部１６２の下端部に形成したことにより、上フランジ１６１の剛性を高めることができるため、たとえハブ１３１が僅かに変形したとしても、ハブ１３１の変形に伴う上フランジ１６１の磁気テープＴ側への傾きをより確実に防止することができる。
【００４０】
なお、本発明は、上記の構成に限定されない。例えば、テープリール３，１０１〜１０３における上フランジ３１や、テープリール１０４における上フランジ１６１に代えて、図１２に示す上フランジ１７１を採用することもできる。この場合、上フランジ１７１は、同図に示すように、円板状に構成されると共に、円形の中心孔１７１ａがその中心部に形成されている。また、同図および図１３に示すように、上フランジ１７１の下面側における中心孔１７１ａの口縁部には、突起部１７２が下方に向けて突出形成されている。さらに、上フランジ１７１の上面側における中心孔１７１ａの口縁部には、補強用突起部１７３が上方に向けて突出形成されている。つまり、上フランジ１７１における中心孔１７１ａの口縁部は、上フランジ１７１における他の部分よりも厚肉に形成されている。この上フランジ１７１によれば、口縁部を他の部分よりも厚肉に形成したことにより、口縁部に十分な剛性を持たせることができるため、たとえハブ（ハブ２１，１２１，１３１）が僅かに変形したとしても、ハブの変形に伴う上フランジ１７１の磁気テープ側への傾きを確実に防止することができる。
【００４１】
また、上フランジ３１，１６１に代えて、図１４に示す上フランジ１８１を採用することもできる。この場合、上フランジ１８１は、同図に示すように、円板状に構成されると共に、円形の中心孔１８１ａがその中心部に形成されている。また、同図および図１５に示すように、上フランジ１８１の下面側における中心孔１８１ａの口縁部には、突起部１８２が下方に向けて突出形成されている。さらに、上フランジ１８１の上面側における中心孔１８１ａの口縁部には、補強用突起部１８３が上方に向けて突出形成されている。つまり、上フランジ１８１における中心孔１８１ａの口縁部は、上フランジ１８１における他の部分よりも厚肉に形成されている。また、両図に示すように、補強用突起部１８３には、中心孔１８１ａを取り囲むようにして平面視環状の溝１８４が形成されている。また、溝１８４内には、複数のリブ１８５，１８５・・が形成されている。この上フランジ１８１においても、口縁部を他の部分よりも厚肉に形成したことにより、口縁部に十分な剛性を持たせることができるため、たとえハブが僅かに変形したとしても、ハブの変形に伴う上フランジ１８１の磁気テープ側への傾きを確実に防止することができる。また、補強用突起部１８３に溝１８４を形成すると共に溝１８４内に複数のリブ１８５，１８５・・を形成したことにより、口縁部の剛性を確保しつつ、上フランジ１８１の軽量化、および補強用突起部１８３における「ひけ」の発生防止を図ることができる。
【００４２】
さらに、上フランジ３１，１６１に代えて、図１６に示す上フランジ１９１を採用することもできる。この場合、上フランジ１９１は、上フランジ１８１と同様にして、円板状に構成されると共に、円形の中心孔１９１ａがその中心部に形成されている。また、同図に示すように、上フランジ１９１の下面側における中心孔１９１ａの口縁部には、突起部１９２が下方に向けて突出形成され、上フランジ１９１の上面側における中心孔１９１ａの口縁部には、補強用突起部１９３が上方に向けて突出形成されている。さらに、突起部１９２の下面には、平面視環状の溝１９４が形成されて、この溝１９４内には、複数のリブ１９５，１９５・・が形成されている。この上フランジ１９１においても、口縁部を他の部分よりも厚肉に形成したことにより、口縁部に十分な剛性を持たせることができる。また、突起部１９２に溝１９４を形成すると共に溝１９４内に複数のリブ１９５，１９５・・を形成したことにより、口縁部の剛性を確保しつつ、上フランジ１９１の軽量化、および突起部１９２における「ひけ」の発生防止を図ることができる。
【００４３】
また、上フランジ３１に代えて、図１７に示すように、環状鍔部３３を有していない上フランジ２０１を採用することもできる。また、ＬＴＯ規格に準拠した情報記録媒体１を例に挙げて説明したが、本発明に係る情報記録媒体には、ＤＬＴ（Digital Linear Tape ）規格に準拠した情報記録媒体やＳＤＬＴ（Super Digital Linear Tape ）規格に準拠した情報記録媒体などの各種の１リールタイプの情報記録媒体が含まれる。また、１リールタイプに限定されず、ビデオテープ等の２リールタイプの情報記録媒体に本発明を適用することもできる。
【図面の簡単な説明】
【００４４】
【図１】情報記録媒体１の分解斜視図である。
【図２】テープリール３の断面図である。
【図３】ハブ２１および下フランジ２２の平面図である。
【図４】磁気テープＴを巻回したテープリール３の断面図である。
【図５】テープリール１０１の断面図である。
【図６】テープリール１０２の分解斜視図である。
【図７】テープリール１０２の断面図である。
【図８】テープリール１０３の断面図である。
【図９】テープリール１０４の分解斜視図である。
【図１０】上フランジ１６１の斜視図である。
【図１１】テープリール１０４の断面図である。
【図１２】上フランジ１７１の斜視図である。
【図１３】上フランジ１７１の断面図である。
【図１４】上フランジ１８１の平面図である。
【図１５】上フランジ１８１の断面図である。
【図１６】上フランジ１９１の断面図である。
【図１７】上フランジ２０１の斜視図である。
【図１８】従来のテープリール（３）の断面図である。
【符号の説明】
【００４５】
１  情報記録媒体
３，１０１〜１０４  テープリール
２１，１２１，１３１  ハブ
２１ｂ，１２１ｂ  補強用リブ
２２  下フランジ
３１，１６１，１７１，１８１，１９１，２０１  上フランジ
３１ａ，１６１ａ，１７１ａ，１８１ａ，１９１ａ  中心孔
３２，１７２，１８２，１９２  突起部
３３  環状鍔部
１２２，１２３，１４１，１５１，１６３  補強部材
１４３，１４４  補強板
１６２，１７３，１８３，１９３  補強用突起部
１６３ｂ，１８５，１９５  リブ
１８４，１９４  溝
Ｔ  磁気テープ
【図１】
2005182948.tif 000003
【図２】
2005182948.tif 000004
【図３】
2005182948.tif 000005
【図４】
2005182948.tif 000006
【図５】
2005182948.tif 000007
【図６】
2005182948.tif 000008
【図７】
2005182948.tif 000009
【図８】
2005182948.tif 000010
【図９】
2005182948.tif 000011
【図１０】
2005182948.tif 000012
【図１１】
2005182948.tif 000013
【図１２】
2005182948.tif 000014
【図１３】
2005182948.tif 000015
【図１４】
2005182948.tif 000016
【図１５】
2005182948.tif 000017
【図１６】
2005182948.tif 000018
【図１７】
2005182948.tif 000019
【図１８】
2005182948.tif 000020